(57)【要約】  本発明は、互いに異なる金属の隙間を活用して微細電流を生成し、且つ、生成された微細電流を用いて治癒効果を得る微細電流生成器に関する。本発明は、材質が互いに異なる第１の金属（１０）と第２の金属（２０）との間に隙間（Ｇ）を形成して微細電流を生成する。
2016523654.tif 000002
【特許請求の範囲】
【請求項１】
材質が互いに異なる第１の金属（１０）と第２の金属（２０）との間の隙間（Ｇ）に隔膜（３０）を配置して電流を生成する電気及び微細電流生成器において、
前記第１の金属（１０）の直径は７ｃｍ〜３０ｃｍであり、前記隙間（Ｇ）は、０．００１ｍｍ〜０．５ｍｍを維持し、前記隔膜（３０）は、紙又はビニールからなり、
前記第１及び第２の金属（１０）（２０）には、端子（４０）（４１）が差し込まれる端子溝（１２）（２１）がそれぞれ形成され、
前記第１及び第２の金属（１０）（２０）にそれぞれ接続された端子（４０）（４１）を介して電気製品に電流を供給するように構成されることを特徴とする電気及び微細電流生成器。
【請求項２】
前記第２の金属（２０）が嵌め込まれるように第１の金属（１０）に形成される嵌合孔（１１）と、第２の金属（２０）及び端子（４０）（４１）は、互いに対応するように多数形成されることを特徴とする請求項１に記載の電気及び微細電流生成器。
【請求項３】
前記第１の金属（１０）の外側には互いに異なる第３及び第４の金属（５０）（６０）がこの順に配置され、第１の金属（１０）と、第３及び第４の金属（５０）（６０）には、互いに対応する端子（４０）（４１）が配設されることを特徴とする請求項１に記載の電気及び微細電流生成器。
【発明の詳細な説明】
【技術分野】
【０００１】
本発明は、電気及び微細電流生成器に係り、更に詳しくは、互いに異なる金属の隙間を活用して微細電流を生成する生成器に関する。これは、電気製品に活用されるとともに、必要に応じて、微細電流を生成し、これを用いて治療を行う機器である。
【背景技術】
【０００２】
一般に、電気の発生は、発電機や電動機、蓄電機能を有するバッテリを活用して行われる。
このため、電気を生成するためには、電気を発生させる装置が必要であり、その装置を駆動するための所定のエネルギーが必要である。
また、電流を用いて治療を行う場合にも、バッテリや建物内に引き込まれた電気を微細電気に変換して活用する。
【０００３】
最近には、神経疾患や脳疾患（うつ病、パーキンソン病、肝蛭病など）を治療するのに微細電流が用いられている。
人体には、生体電流という微細な電流（１０〜６０μＡ、−７０ミリボルト〜５０ミリボルト）が流れる。生体電流は、神経の伝達を促し、アデノシン三リン酸（ＡＴＰ）合成、タンパク質合成、ＤＮＡ合成、臓部運動、ホルモン分泌、体液の移動など人体内の全ての生命活動が行われるようにする生命エネルギーである。特に、それぞれの細胞が有している遺伝情報（ＤＮＡ）が互いに共有されるように媒介する役割を果たすが、そのためには、適正な強さの生体電流が必要である。
【０００４】
人体内の微細電流（生体電流）が弱くなると、肉体的な健康も悪くなり、精神状態も不安定になる。適正な強さの微細電流は、新陳代謝及び血液循環を活発にし、免疫力を向上させ、細胞の再生、痛症の緩和、浮腫の治療及びホルモン分泌の促進、アデノシン三リン酸（ＡＴＰ）合成、タンパク質合成、ＤＮＡ合成などに効能があることが知られている。
この理由から、最近には、微細電流を発生させる微細電流発生装置に対する開発が様々に試みられている。
【０００５】
従来の微細電流発生装置の一つとして、バッテリから供給される電気を微細電流に変換する微細電流発生装置が提案されている。しかしながら、バッテリを用いたとき、適正レベルの微細電流を生成するためには、交流電気に変換するための装置が必要であるとか、適正なヘルツを作るための別途の装置を設けることが必要であるとかという構造的な煩雑さがあった。
これに対し、本発明の微細電流生成器は、自体的に直流電気を生成するためそのような複雑な構造物を必要としない。すなわち、本発明の微細電流生成器は、直流電気治療を行う機器として活用可能である。
【０００６】
従来の微細電流発生装置の他の一つとして、圧力の印加により微細電流が発生される圧電素子を用いた微細電流発生装置が提案されている。しかしながら、高価な圧電素子を用いるが故に製造コストが高騰するという問題があり、必然的に外力が加えられてはじめて微細電流が発生されるため、適用位置が非常に制限的であるという問題がある。
【０００７】
また、従来、コイルに対して磁石が流動するときに微細電流が発生される簡単な構造の微細電流発生装置が提案された。しかしながら、既存の微細電流発生装置は、周りの動き又は外力がない場合には磁石の流動が止まって微細電流が発生せず、外力が加えられたり周りの動きが発生したりするときにのみ磁石が流動して微細電流が発生されるため、微細電流が連続的に発生され難く、微細電流が間歇的に発生されるという問題がある。
【０００８】
これにより、最近には、大韓民国登録特許第１０−０９４５１４５号（２０１０年０２月２４日）に開示されているように、構造を簡素化させ、製造コスト及びメンテナンスコストを節減し、微細電流の発生効率を向上させる微細電流発生装置に対する一部の対策が提案されているが、未だ満足のいく水準には達しておらず、これに対する開発が切望されているのが現状である。
【発明の概要】
【発明が解決しようとする課題】
【０００９】
本発明の目的は、上述した如き従来の欠点を解消しながら、バッテリや一般電気を用いることなく、材質が互いに異なる金属の隙間を活用して電気及び微細電流を自体的に生成する微細電流生成器を提供することにある。
また、本発明の目的は、自体的に生成された直流微細電流を活用した治癒効果が得られる微細電流生成器を提供することにある。
更に、本発明の目的は、微細電流の発生効率を向上させ、半永久的に微細電流を発生させる微細電流生成器を提供することにある。
更にまた、本発明の目的は、構造を簡素化させ、製造コスト及びメンテナンスコストを節減する微細電流生成器を提供することにある
【課題を解決するための手段】
【００１０】
前記目的を達成するために、本発明は、材質が互いに異なる第１の金属及び第２の金属の間に隙間を形成し、この隙間を維持する隔膜を用いて電流を生成する電気及び微細電流生成器を提供する。
また、本発明によれば、前記第１の金属には一つ又はそれ以上の嵌合孔を形成し、前記第２の金属は、第１の金属の嵌合孔に隙間が形成されるように嵌め込み、前記隙間には、隙間維持用隔膜を配置し、前記第１及び第２の金属には、電気製品に電気を供給するように端子をそれぞれ接続する。
更に、本発明によれば、前記第１及び第２の金属には、端子が差し込まれる端子溝がそれぞれ形成される。
更にまた、本発明によれば、前記第１の金属の嵌合孔及び第２の金属及び端子は、互いに対応するように多数形成される。
更にまた、本発明によれば、前記第１の金属の外側には互いに異なる第３及び第４の金属をこの順に配置し、第１の金属と、第３及び第４の金属には、互いに対応する端子をそれぞれ形成する。
更にまた、本発明によれば、前記第１及び第２の金属は、銅及び亜鉛、又は鉄及び亜鉛により形成される。
更にまた、本発明によれば、前記第１の金属と第２の金属との間の隙間は、０．００１ｍｍ〜０．５ｍｍに維持される。
【発明の効果】
【００１１】
本発明の微細電流生成器によれば、バッテリや一般電気を用いることなく、材質が互いに異なる第１の金属及び第２の金属に隙間を形成して自体的に必要な電流を生成して端子を介して電気製品に供給するという効果がある。
また、本発明によれば、自体的に微細電流を生成して微細電流を用いた種々の治癒効果を得、構造的に微細電流の発生効率を向上させ、半永久的に微細電流を発生させるという効果がある。
更に、本発明によれば、構造を簡素化させ、製造コスト及びメンテナンスコストを節減し、持続的に電流又は微細電流による影響を維持し続け、端子を用いて穴や経絡、患部を刺激して目的とする治癒機能を行うという効果がある。
これは、電気的な特性が異なる金属を用いるものであり、身体の電気的な流れが閉塞されたとき、それを解消しながらそれにより生じた痛症及び疾病を治療するという効果がある。
【図面の簡単な説明】
【００１２】
【図１】本発明の電気及び微細電流生成器の一例を示す例示図である。
【図２】本発明の電気及び微細電流生成器の一例を示す例示図である。
【図３】本発明の電気及び微細電流生成器の一例を示す例示図である。
【図４】本発明による電気及び微細電流生成器の分解斜視図である。
【図５】本発明による電気及び微細電流生成器の斜視図である。
【図６】本発明による電気及び微細電流生成器の平面図である。
【図７】本発明による電気及び微細電流生成器の断面図である。
【図８】本発明の他の実施形態による電気及び微細電流生成器の平面図である。
【図９】本発明の更に他の実施形態による電気及び微細電流生成器の平面図である。
【発明を実施するための形態】
【００１３】
以下、添付図面に基づいて本発明の技術的構成について詳細に説明する。
本発明の電気及び微細電流生成器は、図１〜図９に示すように、材質が互いに異なる第１の金属１０と第２の金属２０との間に隙間Ｇを形成して微細電流を生成するように構成されたことをその技術的構成上の基本的な特徴とする。
【００１４】
一般に、電気（電流）は、導線に沿って流れる現象をいい、導体の内部の電位が高い個所から低い個所に流れ、陽電気が流れる方向をその方向とする。この電流の単位は、アンペア（Ａ）である。
このときに生成される電流のうち、１ｍＡ以下の電流を微細電流といい、１ｍＡ以上の電流を一般電流という。
【００１５】
ここで、本発明の電気及び微細電流生成器によれば、前記第１の金属１０と第２の金属２０との間の隙間Ｇの電位差及び隔膜の材質に応じて、１ｍＡ以上の一般電流及び１ｍＡ以下の微細電流が生成される。
このとき、高い電流を得るためには、前記第１の金属１０及び第２の金属２０としては、電位差が大きく、且つ、互いに異なる金属を用いることが好ましい。  このような構成を有する本発明によれば、隙間を維持する隔膜の材質に応じて互いに異なる容量の電流又は微細電流が生成され、複数の生成器を直列又は並列に接続すると、大容量の電気が生成される。
【００１６】
本発明においては、図１〜図３に示すように、互いに異なる大きさを有する３種類の生成器と、互いに異なる材質を有する４種類の隔膜を用いて実験を行った。このときに用いられた電気及び微細電流生成器の大きさは、下記の通りである。
【００１７】
互いに異なる電流生成器の規格は、下記の通りである。
図１は、直径７ｃｍの生成器であり、第１の金属１０の直径が７ｃｍであり、第２の金属２０は、小径４ｃｍ、大径６ｃｍの花びら状の構造物である。
図２は、直径１０ｃｍの生成器であり、第１の金属１０の直径が１０ｃｍであり、第２の金属２０は、小径６ｃｍ、大径８．４ｃｍの花びら状の構造物である。  図３は、直径３０ｃｍの生成器であり、第１の金属１０の直径が３０ｃｍであり、第２の金属２０は、１番から６番までは小径が１．５ｃｍ、大径が３ｃｍである。
７番の第２の金属２０は、小径が２０ｃｍであり、大径が２５ｃｍである。
８番の第２の金属２０は、小径が１８ｃｍであり、大径が２２ｃｍである。
９番の第２の金属２０は、小径が１０ｃｍであり、大径が１２ｃｍである。
１０番の第２の金属２０は、小径が４．５ｃｍであり、大径が７．５ｃｍである。
１１番の第２の金属２０の直径は２ｃｍである。
【００１８】
隔膜の材質及び大きさは、下記の通りである。
隔膜の材質が紙である場合、厚さは０．１ｍｍであり、広さは２ｍｍであり、高さは１５ｍｍである。
隔膜の材質がビニールである場合、厚さは０．２ｍｍであり、広さは２ｍｍであり、高さは１５ｍｍである。
隔膜の材質が８０％の水分を含有する紙材質である場合、厚さは０．３ｍｍであり、広さは２ｍｍであり、高さは１５ｍｍである。
隔膜の材質が精製水で濡らされた紙である場合、厚さは０．３ｍｍであり、広さはそれぞれの第２の金属の大径に３．１４を乗算した値であり、高さは１５ｍｍである。
【００１９】
直径７ｃｍの生成器において、第１の金属１０の材質は亜鉛にし、第２の金属２０の材質は赤銅にした。０．１ｍｍの紙や０．２ｍｍのビニール材質の隔膜を１２ｍｍおきに配置して活用する場合には、１２７ミリボルト〜２８５ミリボルトの電圧が生成され、１０μＡ以下の電流が生成された。
直径７ｃｍの生成器において、第１の金属１０の材質は亜鉛にし、第２の金属２０の材質は赤銅にした。８０％の水分を含有する紙材質の隔膜を活用する場合、４７５ミリボルト〜５１２ミリボルトの電圧及び３６０μＡの電流が生成された。  直径７ｃｍの生成器において、第１の金属１０の材質は亜鉛にし、第２の金属２０の材質は赤銅にした。精製水で濡らされた紙材質の隔膜を活用する場合、７５０ミリボルト〜９５０ミリボルトの電圧及び２．２０Ａの電流が生成された。
【００２０】
直径１０ｃｍの生成器において、第１の金属１０の材質は亜鉛にし、第２の金属２０の材質は赤銅にした。０．１ｍｍの紙や０．２ｍｍのビニール材質の隔膜を活用する場合には、１３５ミリボルト〜３４８ミリボルトの電圧が生成され、１０μＡ以下の電流が生成された。
直径１０ｃｍの生成器において、第１の金属１０の材質は亜鉛にし、第２の金属２０の材質は赤銅にした。８０％の水分を含有する紙材質の隔膜を活用する場合、４３２ミリボルト〜５７９ミリボルトの電圧及び４００μＡの電流が生成された。
直径１０ｃｍの生成器において、第１の金属１０の材質は亜鉛にし、第２の金属２０の材質は赤銅にした。精製水で濡らされた紙材質の隔膜を活用する場合、８５０ミリボルト〜９５０ミリボルトの電圧及び２．４６Ａの電流が生成された。
【００２１】
直径３０ｃｍの生成器は、図示の如く、第１の金属１０及び第２の金属２０の構造を多層構造にした。詳しくは、１１個の多層構造を形成し、それぞれの第１の金属１０と第２の金属２０との間の電流を隔膜の材質により測定した。
第１の金属１０の材質を赤銅にし、第２の金属の材質を１番から７番までは亜鉛にし、８番は赤銅にし、９番は亜鉛にし、１０番は赤銅にし、１１番は亜鉛にした。（第２の金属の１番から１１番までの大きさは、図面を参照すること）。このとき、１番から６番までの第２の金属の大きさは同じである。
【００２２】
このとき、０．１ｍｍの紙や０．２ｍｍのビニール材質の隔膜を活用する場合、１番から６番までそれぞれ２５６ミリボルト〜３５０ミリボルトの電圧が生成され、それぞれ１０μＡ以下の電流が生成された。
７番の第２の金属２０と第１の金属１０との間に０．１ｍｍの紙や０．２ｍｍのビニール材質の隔膜を活用する場合、２６１ミリボルト〜３８２ミリボルトの電圧が生成され、１０μＡ以下の電流が生成された。
７番の第２の金属２０である亜鉛と８番の第２の金属２０である赤銅との間に０．１ｍｍの紙や０．２ｍｍのビニール材質の隔膜を活用する場合２５８ミリボルト〜３６０ミリボルトの電圧が生成され、１０μＡ以下の電流が生成された。
【００２３】
８番の第２の金属２０である赤銅と９番の第２の金属２０である亜鉛との間に０．１ｍｍの紙や０．２ｍｍのビニール材質の隔膜を活用する場合、２５４ミリボルト〜３５６ミリボルトの電圧が生成され、１０μＡ以下の電流が生成された。  ９番の第２の金属２０である亜鉛と１０番の第２の金属２０である赤銅との間に０．１ｍｍの紙や０．２ｍｍビニール材質の隔膜を活用する場合、２６５ミリボルト〜３４７ミリボルトの電圧が生成され、１０μＡ以下の電流が生成された。  １０番の第２の金属２０である赤銅と１１番の第２の金属２０である亜鉛との間に０．１ｍｍの紙や０．２ｍｍビニール材質の隔膜を活用する場合、１３２ミリボルト〜１８６ミリボルトの電圧が生成され、１０μＡ以下の電流が生成された。
【００２４】
直径３０ｃｍの生成器に８０％の水分を含有する紙材質の隔膜を活用する場合、１番から６番までそれぞれ４１０ミリボルト〜５８０ミリボルトの電圧が生成され、それぞれ２５０〜３２０μＡの電流が生成された。
７番の第２の金属２０と第１の金属１０との間に８０％の水分を含有する紙材質の隔膜を活用する場合、５００ミリボルト〜５５０ミリボルトの電圧が生成され、３８０〜５２０μＡの電流が生成された。
７番の第２の金属２０である亜鉛と８番の第２の金属２０である赤銅との間に８０％の水分を含有する紙材質の隔膜を活用する場合、４８０ミリボルト〜５３０ミリボルトの電圧が生成され、３６０〜４３０μＡの電流が生成された。
【００２５】
８番の第２の金属２０である赤銅と９番の第２の金属２０である亜鉛との間に８０％の水分を含有する紙材質の隔膜を活用する場合、４８０ミリボルト〜５３０ミリボルトの電圧が生成され、４２０〜５５０μＡの電流が生成された。
９番の第２の金属２０である亜鉛と１０番の第２の金属２０である赤銅との間に８０％の水分を含有する紙材質の隔膜を活用する場合、３８０ミリボルト〜４５０ミリボルトの電圧が生成され、４２０〜５００μＡの電流が生成された。
１０番の第２の金属２０である赤銅と１１番の第２の金属２０である亜鉛との間に８０％の水分を含有する紙材質の隔膜を活用する場合、３８０ミリボルト〜４２０ミリボルトの電圧が生成され、７２０〜８００μＡの電流が生成された。
【００２６】
直径３０ｃｍの生成器に精製水で濡らされた紙材質の隔膜を活用する場合、１番から６番までそれぞれ７５０ミリボルト〜８００ミリボルトの電圧が生成され、それぞれ２．２ｍＡの電流が生成された。
７番の第２の金属２０と第１の金属１０との間に精製水で濡らされた紙材質の隔膜を活用する場合、８５０ミリボルト〜９８０ミリボルトの電圧が生成され、２．５ｍＡの電流が生成された。
７番の第２の金属２０である亜鉛と８番の第２の金属２０である赤銅との間に精製水で濡らされた紙材質の隔膜を活用する場合、７５０ミリボルト〜８５０ミリボルトの電圧が生成され、２．２４ｍＡの電流が生成された。
【００２７】
８番の第２の金属２０である赤銅と９番の第２の金属２０である亜鉛との間に精製水で濡らされた紙材質の隔膜を活用する場合、７５０ミリボルト〜８５０ミリボルトの電圧が生成され、２．２ｍＡの電流が生成された。
９番の第２の金属２０である亜鉛と１０番の第２の金属である赤銅との間に精製水で濡らされた紙材質の隔膜を活用する場合、６８０ミリボルト〜７５０ミリボルトの電圧が生成され、２．２ｍＡの電流が生成された。
１０番の第２の金属２０である赤銅と１１番の第２の金属２０である亜鉛との間に精製水で濡らされた紙材質の隔膜を活用する場合、９８０ミリボルト〜１．３ボルトの電圧が生成され、２．５４ｍＡの電流が生成された。
【００２８】
微細電流を治療に活用する場合には、症状に応じて互いに異なるμＡを有する微細電流が用いられる。例えば、骨の再生に用いられる微細電流は、１０μＡ〜６０μＡである。アデノシン三リン酸（ＡＴＰ）合成やＤＮＡ合成、タンパク質合成、浮腫緩和に用いられる微細電流は、４００μＡである。ウィルスの抑制に用いられる微細電流は、２０μＡ〜６０μＡである。
【００２９】
本発明の微細電流生成器は、隔膜の材質に応じて様々な強さの微細電流を生成するため、広範な病症に適用可能であるというメリットがある。
以下、本発明の微細電流を用いた健康補助具について説明する。
前記第１の金属１０と第２の金属２０との間の隙間Ｇにおいて生成された微細電流は、身体のうち特定の穴、経絡、その他の部位に接触させることにより、人体に良い影響を与えるために、又は治療をするために用いられる。微細電流を用いた効果については、１）呉・ヘジン、金・ジョンウ他、「微細電流電気刺激が白鼠創傷の組織学的構造に及ぼす影響」、Ｔｈｅ Ｊｏｕｒｎａｌ Ｋｏｒｅａｎ Ｓｏｃｉｅｔｙ ｏｆ Ｐｈｙｓｉｃａｌ Ｔｈｅｒａｐｙ、大韓物理治療学会、２００８年、２）呉・ヒョンジュ、金・ジョンヨル他、「慢性腰痛患者に対する微細電流刺激治療が痛症及び機能修復に及ぼす影響」、大韓物理医学会誌第３巻第１号、２００８年２月、３）朴・レジュン、崔・サンジュン他、「足底筋膜炎患者の微細電流発生履物の着用が足部筋疲労及び痛症緩和に及ぼす影響」、大韓物理治療学会誌第１８巻第１号、２００６年２月、４）李・ユンミ、朴・レジュン他、「微細電流発生履物の着用が慢性足底筋膜炎患者の血流量の変化に及ぼす影響」、大韓物理治療学会誌第１８巻第３号、２００６年６月、５）朴・ヨンハン、「電気刺激が細菌の成長に及ぼす影響」、大韓物理治療学会誌第６巻第１号、１９９４年などの論文から確認される。
【００３０】
これらに加えて、微細電流を用いて癌細胞の逆分化を行うという多数の発表もあった。スティーブンスミスは、試験管実験において培養中の悪性リンパ癌細胞を陽性繊維素に変形することを観察した。
１９５０年代、ジョンズ・ホプキンス大学のハンフリー（Ｃ．Ｅ．Ｈｕｍｐｈｒｅｙ）及びシール（Ｅ．Ｈ．Ｓｅａｌ）らは、パルス直流電気を加えると、ねずみの癌の成長が止まるということを知見し、ニューヨークマウントサイナイ医科大学のラロノートン（Ｌ．Ｎｏｒｔｏｎ）と、ロリタンスマン（Ｌ．Ｔａｎｓｍａｎ） 及びバージニア医科大学のウィリアム・リーゲルソン（Ｗ．Ｒｉｅｇｅｌｓｏｎ）らもねずみの癌にパルス電磁気場を照射すると、癌の進行が抑えられると主張した。１９６０年代、ケネス・マクリーン（Ｋｅｎｎｅｔｈ  ＭａｃＬｅａｎ）は、ねずみの癌に磁気場を用いると、癌が治療されると主張した。「生命と電気」という本を書いてノーベル賞を受賞したロバート・ベッカー（Ｒｏｂｅｒｔ  Ｂｅｃｋｅｒ）は、癌細胞に微細電流を与えると、癌細胞が正常細胞に逆分化するということを見出した。
【００３１】
＊１９８７年にンゴク・チェン（Ｎｇｏｋ Ｃｈｅｎｇ）により刊行された研究発表内容には、微細電流は細胞内のエネルギーアデノシン三リン酸（ＡＴＰ）の産生比が５００％増加され、タンパク質の産生比及び廃棄物の除去能が７０％増加することが記載されている。
＊微細電流の骨の再生及び傷治癒効果がイギリス学界において立証される
−世界的な碩学であるイギリスハートフォードシャー大学のチーム・ウィットソン教授
＊微細電流が痙攣性患者の脊髄神経興奮性緩和に効果的である
−日本関西大学の鈴木俊明(ＳＵＺＵＫＩ  ＴＯＳＩＡＫＩ)教授
＊微細電流刺激が骨骨折治癒及び骨癒合に役立つという動物実験結果
−韓国ナザレ大学(Ｋｏｒｅａ Ｎａｚａｒｅｎｅ Ｕｎｉｖｅｒｓｉｔｙ)曹・ミスク教授
＊銀ナノコーティング電極を用いた細菌抑制効果を発表
−嶺南大学医療機器臨床試験センターチーム
＊成長ホルモンの減少を遅延し、成長ホルモンの増加に肯定的な影響を及ぼす
−江原大学医科大徐・インボム博士
＊微細電流刺激と高電圧脈動直流通電がウサギの髀骨骨折治癒に効果的である
−高・スンヒョン、尹・ボムチョル、金・ジソン、閔・ギョンオク
＊微細電流治療がリウマチ関節炎誘発白鼠に及ぼす影響に関する研究
−李・ヒョンミン、蔡・ユンウォン
【００３２】
このような微細電流治療の効果を生化学的側面からみると、微細電流は、アデノシン三リン酸（ＡＴＰ）を５００％増大させ、タンパク質合成を促し、細胞膜の透過性を４０％増大させる。なお、ＤＮＡ合成を促し、Ｔリンパ球の活性を促す。
このため、このような本発明の微細電流生成器は、ベッド、机、カーペット、アクセサリー、腕輪、ネックレス、健康補助具などを製作するのに活用され、これらに加えて、建築のインテリアや各種のヒーリング商品として製作されて活用される。
【００３３】
また、本発明の微細電流生成器は、微細電流が用いられる電子機器にも活用される。
以下、本発明の様々な実施形態について添付図面に基づいて説明する。
本発明の実施形態によれば、図４〜図７に示すように、前記第１の金属１０には嵌合孔１１が形成され、前記第２の金属２０は、嵌合孔１１に隙間Ｇが形成されるように嵌め込まれ、前記隙間Ｇには隙間維持用隔膜３０が配置され、前記第１及び第２の金属１０、２０には、正極（＋）及び負極（−）を有する端子４０、４１がそれぞれ接続される。このとき、前記第１の金属１０と、嵌合孔１１及び第２の金属２０は、図示の如く、円形に形成することが好ましいが、必要に応じては、様々な形状に形成可能であることは明らかである。
【００３４】
また、前記第１及び第２の金属１０、２０には、端子４０、４１が差し込まれる端子溝１２、２１がそれぞれ形成される。このとき、前記端子溝１２、２１を用いると、端子４０、４１を第１及び第２の金属１０、２０に手軽に接続することができる。
本発明の他の実施形態によれば、図８に示すように、前記嵌合孔１１と、第２の金属２０及び端子４０、４１は、互いに対応するように多数形成される。このとき、前記各嵌合孔１１と各第２の金属２０との間にも、上述したように、隙間及び隔膜がそれぞれ形成される。このため、前記多数の第２の金属２０の隙間においては微細電流がそれぞれ生成される。
【００３５】
本発明の他の実施形態によれば、図９に示すように、前記第１の金属１０の外側には互いに異なる第３及び第４の金属５０、６０がこの順に配置され、第１の金属１０と第３及び第４の金属５０、６０には、互いに対応する端子４０、４１が配設される。このとき、前記第１、第３及び第４の金属１０、５０、６０の間にも、上述したように、隙間及び隔膜がそれぞれ形成される。このため、前記第３及び第４の金属５０、６０の隙間においては微細電流がそれぞれ生成される。  前記第３の金属５０は、第２の金属２０と同じ材質の金属を配置し、前記第４の金属６０は、第１の金属１０と同じ材質の金属を配置することが好ましい。
【００３６】
一方、前記第４の金属60の外側には、他の第５、第６...金属をこの順に配置可能であることは明らかであり、且つ、前記第１、第３及び第４の金属１０、５０、６０にも、上述した図８に示すように、多数の嵌合孔をそれぞれ形成してそれぞれ微細電流を生成するように構成可能であるということは明らかである。
本発明の実施形態によれば、前記第１及び第２の金属１０、２０は、銅及び亜鉛又は鉄及び亜鉛からなる。このとき、前記第１及び第２の金属１０、２０としては、銅及び亜鉛又は鉄及び亜鉛を用いることが好ましいが、必要に応じては、金、銀、アルミニウム、ステインレス鋼など電気的な特性に優れた素材が使用可能であり、且つ、上述した金属ではなくても、電気伝導度が高い物質であれば、その他の材質も使用可能であるということは明らかである。
【００３７】
本発明の実施形態によれば、前記隙間Ｇは、０．００１ｍｍ〜０．５ｍｍに維持されることが好ましい。
このような構成を有する本発明による微細電流生成器は、バッテリや一般電気を用いることなく、材質が互いに異なる金属の隙間を活用して自体的に微細電流を生成するというメリットがあり、自体的に生成された微細電流を活用する治癒効果が得られるというメリットがある。
【００３８】
また、本発明の微細電流生成器は、微細電流の発生効率を向上させるというメリットがあり、半永久的に微細電流を発生させるというメリットがある。
更に、本発明の微細電流生成器は、構造を簡素化させるというメリットがあり、製造コスト及びメンテナンスコストを節減するというメリットがある。
更にまた、本発明は、微細電流だけではなく、家庭において用いられる電気生成器の代わりに使用可能である。
【００３９】
すなわち、上述したように、第１の金属１０の外側には互いに異なる第３及び第４の金属５０、６０がこの順に配置され、第１の金属１０と、第３及び第４の金属５０、６０には、互いに対応する端子４０、４１が配設される。このとき、前記第１、第３及び第４の金属１０、５０、６０の間にも隙間及び隔膜がそれぞれ形成されて電気生成器が形成される。
【００４０】
このような構成を有する電気生成器を多数準備して一つのボックスにユニット化させると、所要の電気が生産可能である。このため、大容量の電気を生産しようとする場合には、電気生成器のユニットを多数備えると、所要の電気を生産することができ、ユニット化する電気生成器は、直列又は並列に接続して必要に応じて電流及び電圧を得る。
【００４１】
このような構成を有する本発明の電気生成器は、既存の太陽熱電気に比べて設置コスト及び管理コストが安価であるというメリットがあり、発電機及び電動機などを駆動するための消耗エネルギーを使用しないので、グリーンエネルギーを提供するというメリットがある。
【産業上の利用可能性】
【００４２】
本発明の微細電流生成器は、自体的に必要な電流を生成して端子を介して穴や経絡、患部を刺激して痛症及び疾病を治療するのに使用可能である。
また、ベッド、机、カーペット、アクセサリー、腕輪、ネックレス、健康補助具などを製作するのに活用され、これらに加えて、建築のインテリアや各種のヒーリング商品として製作されて活用される。
更に、本発明の微細電流生成器は、微細電流が用いられる電子機器にも活用可能である。
【図１】
2016523654.tif 000003
【図２】
2016523654.tif 000004
【図３】
2016523654.tif 000005
【図４】
2016523654.tif 000006
【図５】
2016523654.tif 000007
【図６】
2016523654.tif 000008
【図７】
2016523654.tif 000009
【図８】
2016523654.tif 000010
【図９】
2016523654.tif 000011
【国際調査報告】
2016523654.tif 000012
2016523654.tif 000013
2016523654.tif 000014
2016523654.tif 000015